(57)【要約】【課題】  画像読取により保存された原稿画像ファイルのネットワーク識別子が適切ではなくなった場合でも、ユーザーがその原稿画像ファイルのダウンロードを可能にする。【解決手段】  画像取得部４２は、読み取られたページ画像の画像データを含む原稿画像ファイルを生成し特定フォルダーに保存する。通信処理部４３は、その原稿画像ファイルのネットワーク識別子を含むメッセージを特定の宛先に送信する。サーバー部４４は、そのネットワーク識別子を指定した送信要求を受信すると原稿画像ファイルを送信する。そして、通信処理部４３は、そのページ画像のうちの所定ページの縮小画像をネットワーク識別子とともにメッセージに含め、サーバー部４４は、その縮小画像を指定した画像検索要求を受信すると、その縮小画像をキーとして画像検索を実行する。【選択図】  図２
2020035188.tif 000002
【特許請求の範囲】
【請求項１】
１または複数ページの原稿から１または複数のページ画像を読み取り前記１または複数のページ画像の画像データを生成する画像読取部と、
前記画像データを取得し、前記画像データを含む原稿画像ファイルを生成し特定フォルダーに保存する画像取得部と、
前記原稿画像ファイルのネットワーク識別子を含むメッセージを特定の宛先に送信する通信処理部と、
前記ネットワーク識別子を指定した送信要求を受信すると前記原稿画像ファイルを送信するサーバー部とを備え、
前記通信処理部は、前記１または複数のページ画像のうちの所定ページの縮小画像を、前記ネットワーク識別子とともに前記メッセージに含め、
前記サーバー部は、前記縮小画像を指定した画像検索要求を受信すると、前記縮小画像をキーとして画像検索を実行すること、
を特徴とする画像読取装置。
【請求項２】
前記通信処理部は、所定条件が成立する場合、前記１または複数のページ画像のうちの所定ページの縮小画像を、前記ネットワーク識別子とともに前記メッセージに含め、前記所定条件が成立しない場合、前記縮小画像を、前記ネットワーク識別子とともに前記メッセージに含めないことを特徴とする請求項１記載の画像読取装置。
【請求項３】
前記画像取得部は、（ａ）前記原稿画像ファイルを所定の記憶装置に記憶し、（ｂ１）前記通信処理部が前記縮小画像を前記メッセージに含めた場合に、前記縮小画像の画像ファイルを前記画像検索用に前記原稿画像ファイルに関連付けて記憶し、（ｂ２）前記通信処理部が前記縮小画像を前記メッセージに含めなかった場合に、前記縮小画像の画像ファイルを前記画像検索用に前記原稿画像ファイルに関連付けて記憶せず、
前記サーバー部は、前記画像検索要求により指定された前記縮小画像をキーとして、前記原稿画像ファイルに関連付けられた前記画像検索用の前記縮小画像に対して前記画像検索を行うこと、
を特徴とする請求項２記載の画像読取装置。
【請求項４】
前記所定条件は、前記原稿画像ファイルのファイル名がユーザーにより指定されなかったことを特徴とする請求項２記載の画像読取装置。
【請求項５】
前記所定条件は、前記特定フォルダーが作成されてから所定時間経過していないことを特徴とする請求項２記載の画像読取装置。
【請求項６】
前記画像取得部は、前記１または複数のページ画像から所定ページのページ画像を縮小することで前記縮小画像を生成し、
前記所定ページは、前記１または複数のページ画像のそれぞれのページ画像の所定の特徴量に基づいて、前記１または複数のページ画像から選択されること、
を特徴とする請求項１から請求項５のうちのいずれか１項記載の画像読取装置。
【発明の詳細な説明】
【技術分野】
【０００１】
本発明は、画像読取装置に関するものである。
【背景技術】
【０００２】
ある画像読取装置は、原稿から読み取られた原稿画像の画像ファイル（以下、原稿画像ファイルという）をボックス（フォルダー）に保存し、その画像ファイルのＵＲＬ（Uniform Resource Locator）を含むメッセージ（電子メールなど）を送信し、これにより、ユーザーが端末装置などを操作してそのメッセージに含まれるＵＲＬを指定して、画像ファイルをダウンロードする機能（スキャンＵＲＬ送信ジョブ機能）を有する（例えば特許文献１参照）。
【先行技術文献】
【特許文献】
【０００３】
【特許文献１】特開２００６−３１１３４４号公報
【発明の概要】
【発明が解決しようとする課題】
【０００４】
しかしながら、スキャンＵＲＬ送信ジョブなどで原稿画像ファイルが保存された後、例えば保存された原稿画像ファイルの移動、ファイル名の変更などに起因して、送信したＵＲＬが適切ではなくなった場合、ユーザーが端末装置などを操作してそのメッセージに含まれるＵＲＬを指定して原稿画像ファイルの送信要求を画像読取装置に送信しても、そのＵＲＬが示す場所に原稿画像ファイルがないため、その原稿画像ファイルのダウンロードに失敗してしまう。
【０００５】
本発明は、上記の問題に鑑みてなされたものであり、画像読取で保存された原稿画像ファイルのネットワーク識別子がユーザーへの通知後に適切ではなくなった場合でも、ユーザーがその原稿画像ファイルのダウンロードを可能にする画像読取装置を得ることを目的とする。
【課題を解決するための手段】
【０００６】
本発明に係る画像読取装置は、１または複数ページの原稿から１または複数のページ画像を読み取り前記１または複数のページ画像の画像データを生成する画像読取部と、前記画像データを取得し、前記画像データを含む原稿画像ファイルを生成し特定フォルダーに保存する画像取得部と、前記原稿画像ファイルのネットワーク識別子を含むメッセージを特定の宛先に送信する通信処理部と、前記ネットワーク識別子を指定した送信要求を受信すると前記原稿画像ファイルを送信するサーバー部とを備える。そして、前記通信処理部は、前記１または複数のページ画像のうちの所定ページの縮小画像を、前記ネットワーク識別子とともに前記メッセージに含め、前記サーバー部は、前記縮小画像を指定した画像検索要求を受信すると、前記縮小画像をキーとして画像検索を実行する。
【発明の効果】
【０００７】
本発明によれば、画像読取で保存された原稿画像ファイルのネットワーク識別子がユーザーへの通知後に適切ではなくなった場合でも、ユーザーがその原稿画像ファイルのダウンロードを可能にする画像読取装置が得られる。
【０００８】
本発明の上記又は他の目的、特徴および優位性は、添付の図面とともに以下の詳細な説明から更に明らかになる。
【図面の簡単な説明】
【０００９】
【図１】図１は、本発明の実施の形態に係る画像読取装置を示す斜視図である。
【図２】図２は、図１における画像読取装置１の構成を示すブロック図である。
【図３】図３は、図１および図２に示す画像読取装置１により特定フォルダーに保存される原稿画像ファイル、表示用縮小画像としての表示用サムネイル画像、および検索用縮小画像としての検索用サムネイル画像の関連付けについて説明する図である。
【図４】図４は、図１および図２に示す画像読取装置１から送信されるメッセージとしての電子メールの一例を示す図である。
【図５】図５は、図４に示すメッセージにおける検索用ＵＲＬにより指定される検索画面の一例を示す図である。
【図６】図６は、図１及び図２に示す画像読取装置１の動作について説明するフローチャートである。
【発明を実施するための形態】
【００１０】
以下、図に基づいて本発明の実施の形態を説明する。
【００１１】
図１は、本発明の実施の形態に係る画像読取装置を示す斜視図である。図１において、画像読取装置１は、画像読取機能を有する複合機であり、画像読取装置の一種である。端末装置２は、パーソナルコンピューターなどの、ユーザーが操作する端末装置であって、ネットワーク３を介して画像読取装置１と直接または間接的に通信可能である。例えば、複数のユーザーにそれぞれ使用される複数の端末装置２がネットワーク３を介して画像読取装置１と通信可能となっている。なお、ネットワーク３は、インターネット、ＬＡＮ（Local Area Network）などである。
【００１２】
図２は、図１における画像読取装置１の構成を示すブロック図である。図１および図２に示す画像読取装置１は、画像読取部１１、印刷装置１２、ファクシミリ装置１３、通信装置１４、操作パネル１５、演算処理装置１６、記憶装置１７などを備える。
【００１３】
画像読取部１１は、プラテングラスに載置された１または複数ページの原稿や、自動原稿送り装置によりフィードされた１または複数ページの原稿から１または複数のページ画像を光学的に読み取り、その１または複数のページ画像の画像データを生成する。
【００１４】
印刷装置１２は、スキャンで得られた画像データなどに基づく画像を印刷する内部装置である。
【００１５】
ファクシミリ装置１３は、スキャンで得られた画像データをファクシミリ信号として送信し、ファクシミリ信号を受信して画像データを生成する内部装置である。
【００１６】
通信装置１４は、ネットワークインターフェイスなどであって、ネットワーク３を介して、端末装置２などとデータ通信を行う内部装置である。
【００１７】
操作パネル１５は、画像読取装置１の筺体上面側に配置され、ユーザーに対して画面を表示する表示装置２１およびそのユーザーによる操作を受け付ける入力装置２２を有する。表示装置２１は、液晶ディスプレイなどである。また、入力装置２２は、ハードキー、表示装置２１とともにソフトキーを実現するタッチパネルなどである。
【００１８】
演算処理装置１６は、ＣＰＵ（Central Processing Unit）、ＲＯＭ（Read Only Memory）、ＲＡＭ（Random Access Memory）などを有するコンピューター、ＡＳＩＣ（Application Specific Integrated Circuit）などを備え、各種処理部として動作する。つまり、演算処理装置１６は、ＲＯＭや図示せぬ記憶装置に記憶されているプログラムをＲＡＭにロードしてＣＰＵで実行して、ソフトウェアによって各種処理部として動作したり、ＡＳＩＣなどで、ハードウェアによって各種処理部として動作したりする。
【００１９】
演算処理装置１６は、ジョブ管理部４１、画像取得部４２、通信処理部４３、およびサーバー部４４として動作する。
【００２０】
ジョブ管理部４１は、スキャンＵＲＬ送信ジョブなどといったジョブのジョブ要求を受け付けると、内部装置などを使用してそのジョブを実行する。スキャンＵＲＬ送信ジョブの場合、ジョブ管理部４１は、画像読取部１１、画像取得部４２および通信処理部４３を使用してそのジョブを実行する。
【００２１】
画像取得部４２は、画像読取部１１により生成された画像データを取得し、その画像データを含む原稿画像ファイルを生成し特定フォルダーに保存する。なお、この特定フォルダーは、内部の記憶装置１７、図示せぬ外部の記憶装置などといった不揮発性の記憶装置（フラッシュメモリー、ハードディスクドライブなど）に設けられている。
【００２２】
例えば、ジョブ要求におけるジョブ設定に従って、１つのジョブで複数ページの原稿についての原稿画像ファイルを生成する際に、複数ページのページ画像を含む１つの原稿画像ファイル（例えばＰＤＦファイル）が生成され保存される。
【００２３】
通信処理部４３は、通信装置１４を使用して、特定フォルダーに保存された原稿画像ファイルのネットワーク識別子を含むメッセージを特定の宛先に送信する。このメッセージは、所定のプロトコルによって送信される。この実施の形態では、ネットワーク識別子はＵＲＬであり、このメッセージは電子メールとして送信される。
【００２４】
このように、スキャンＵＲＬ送信ジョブでは、上述の原稿画像ファイルが所定フォルダーに保存され、その原稿画像ファイルのＵＲＬを含むメッセージが送信される。
【００２５】
なお、この特定の宛先は、ユーザー操作、ユーザー設定、ジョブ設定などにより指定された宛先（ここでは電子メールアドレスなど）である。
【００２６】
また、このＵＲＬは、（ａ）原稿画像ファイルを直接的に示すものでもよいし、（ｂ）ＣＧＩ（Common Gate Interface）を示し、かつパラメーターで原稿画像ファイルを示すものでもよい。
【００２７】
また、サーバー部４４は、通信装置１４を使用して、上述のネットワーク識別子（例えばＵＲＬ）を指定した送信要求を受信すると、そのネットワーク識別子に対応するファイルを特定して読み出し、その要求の応答として要求元へ送信する。端末装置２は、ユーザー操作に従って上述のメッセージ（例えば電子メール）をメーラー６１などで取得して液晶ディスプレイなどといった表示装置６３で表示するとともにＲＡＭやフラッシュメモリーなどといった記憶装置６４に保存し、ウェブブラウザーとしてのブラウザー６２などを使用して、上述のメッセージ内のネットワーク識別子を指定した送信要求を送信する。なお、内蔵コンピューターがプログラムを実行することで、内蔵コンピューターがメーラー６１およびブラウザー６２として動作する。
【００２８】
例えば、サーバー部４４は、ウェブサーバーであって、ＵＲＬを指定した要求をＨＴＴＰ（Hypertext Transfer Protocol）に従って受信すると、そのＵＲＬにより指定される原稿画像ファイルを読み出して、その要求の応答として送信する。
【００２９】
さらに、通信処理部４３は、上述の１または複数のページ画像のうちの所定ページの縮小画像を、上述のネットワーク識別子とともに上述のメッセージに含め、サーバー部４４は、その縮小画像を指定した画像検索要求を受信すると、その縮小画像をキーとして画像検索を実行する。この実施の形態では、縮小画像は、サムネイル画像である。
【００３０】
具体的には、縮小画像がメッセージに含められる場合、メッセージが電子メールであるときには、（ａ）電子メールがＨＴＭＬ（Hypertext Markup Language）メールとされて縮小画像が電子メール本文に埋め込まれたり、（ｂ）電子メールがテキストメールとされ縮小画像の画像ファイルが添付ファイルとして添付されたりする。
【００３１】
例えば、画像取得部４２が、上述の１または複数のページ画像から所定ページを選択し、その選択した所定ページのページ画像を縮小することで上述の縮小画像を生成する。
【００３２】
なお、上述の所定ページは、第１ページ、ユーザーにより指定されたページ、画像における所定の特徴量に基づき自動的に選択されたページなどとされる。例えば、所定ページは、上述の１または複数のページ画像のそれぞれのページ画像の所定の特徴量（カラー画像の有無および色分布、文字の有無およびサイズ、表や図形の有無およびサイズなど）に基づいて、上述の１または複数のページ画像から選択される。
【００３３】
例えば、特徴量の総和が最も大きいページ画像が選択され、カラー画像が有るほうが特徴量が大きく、色分布が広いほど特徴量が大きく、文字が有るほうが特徴量が大きく、文字サイズが大きいほど特徴量が大きく、表や図形が有るほうが特徴量が大きく、表や図形のサイズが大きいほど特徴量が大きくなるように、特徴量が計算される。
【００３４】
例えば、サーバー部４４の画像検索における画像比較方法に対応して、画像検索でヒットしやすく（つまり、別の画像がヒットしにくく）なるような特徴量を有するページが上述の所定ページに選択される。
【００３５】
この実施の形態では、通信処理部４３は、所定条件が成立する場合、上述の１または複数のページ画像のうちの所定ページの縮小画像を、上述のネットワーク識別子とともに上述のメッセージに含め、上述の所定条件が成立しない場合、上述の縮小画像を、上述のネットワーク識別子とともに上述のメッセージに含めない。
【００３６】
なお、この「所定条件」は、例えば、（ａ）特定フォルダーに記憶される原稿画像ファイルのファイル名がユーザーにより指定されなかったこと、（ｂ）特定フォルダーが作成されてから所定時間（例えば１日または１週間）経過していないこと、（ｃ）ユーザー操作またはユーザー設定により縮小画像の付加が指定されていること、などである。
【００３７】
また、この実施の形態では、画像取得部４２は、（ａ）上述の原稿画像ファイルを所定の記憶装置（記憶装置１７など）に記憶し、（ｂ１）通信処理部４３が上述の縮小画像を上述のメッセージに含めた場合に、その縮小画像の画像ファイルを、検索用縮小画像として、上述のページ画像の原稿画像ファイルに関連付けて記憶し、（ｂ２）通信処理部４３が上述の縮小画像を上述のメッセージに含めなかった場合に、検索用縮小画像の画像ファイルを上述のページ画像の原稿画像ファイルに関連付けて記憶しない。そして、サーバー部４４は、画像検索要求により指定された縮小画像をキーとして、上述のページ画像の原稿画像ファイルに関連付けられた検索用縮小画像に対して画像検索を行う。
【００３８】
さらに、この実施の形態では、画像取得部４２は、取得したページ画像のすべての原稿画像ファイルのそれぞれについて、その原稿画像ファイルにおけるいずれかのページ画像を縮小して得られる表示用縮小画像を、その原稿画像ファイルに関連付けて記憶する。つまり、表示用縮小画像は、すべての原稿画像ファイルに対して生成され関連付けられるが、画像検索用縮小画像は、一部の原稿画像ファイルに対して生成され関連付けられる。
【００３９】
なお、表示用縮小画像は、ユーザー操作に従って、操作パネル１５の表示装置２１または端末装置２の表示装置６３において表示される、特定フォルダーに保存されている原稿画像ファイルのリストに使用される。
【００４０】
図３は、図１および図２に示す画像読取装置１により特定フォルダーに保存される原稿画像ファイル、表示用縮小画像としての表示用サムネイル画像、および検索用縮小画像としての検索用サムネイル画像の関連付けについて説明する図である。
【００４１】
例えば図３に示すように、３つの原稿に対応する３つの原稿画像ファイル（ファイル＃１，ファイル＃２，ファイル＃３）が、特定フォルダーとしての「documentbox1」に記憶されており、すべてのファイル＃ｉに、表示用サムネイル画像がそれぞれ関連付けられており、さらに、検索用サムネイル画像が送信されたファイル＃ｉに対して、その検索用サムネイル画像が関連付けられて記憶されており、検索用サムネイル画像が送信されなかったファイル＃ｉに対しては、検索用サムネイル画像が関連付けられて記憶されていない。
【００４２】
図４は、図１および図２に示す画像読取装置１から送信されるメッセージとしての電子メールの一例を示す図である。端末装置２において、メッセージは、メーラー６１によって表示装置６３に表示される。例えば図４に示すように、メッセージは、ファイル名、保存日時、保存された原稿画像ファイルのファイルＵＲＬを含むリンク１０１、縮小画像としてのサムネイル画像１０２、および検索用ＵＲＬを含むリンク１０２を含んでいる。
【００４３】
検索用ＵＲＬは、画像検索用のウェブページのＵＲＬであって、ユーザーが、タッチパネルやマウスなどの入力装置６５を操作して、リンク１０２を押下すると、端末装置２のブラウザー６２は、検索用ＵＲＬへ検索画面データの送信要求を送信する。サーバー部４４は、通信装置１４を使用して、その検索画面データの送信要求を受信し、その送信要求に応じて、ＨＴＭＬで記述された検索画面データを、その送信要求の応答として送信する。端末装置２のブラウザー６２は、検索画面データを受信すると、検索画面データに従って表示装置６３に検索画面を表示する。
【００４４】
図５は、図４に示すメッセージにおける検索用ＵＲＬにより指定される検索画面の一例を示す図である。例えば図５に示すように、検索画面は、端末装置２に記憶されたサムネイル画像１０２（縮小画像）の画像ファイルのローカルのファイルパスを入力するための入力フィールド２０１、オペレーティングシステムに含まれるファイラーを使用してサムネイル画像１０２（縮小画像）の画像ファイルを指定するための参照キー２０２、実行キー２０３などを含んでいる。参照キー２０２および実行キー２０３はソフトキーである。
【００４５】
ユーザーは、入力フィールド２０１または参照キー２０２に対してユーザー操作を行い、上述のメッセージとして受信された電子メールに含まれていたサムネイル画像１０２（縮小画像）の画像ファイルを指定し、実行キー２０３を押下する。実行キー２０３が押下されると、ブラウザー６２は、指定されたサムネイル画像１０２（縮小画像）の画像ファイルとともに画像検索要求をサーバー部４４へ送信する。
【００４６】
サーバー部４４は、端末装置２から画像検索要求を受信すると、併せて受信したサムネイル画像１０２（縮小画像）の画像ファイルをキーとして画像検索を行い、画像検索で発見したサムネイル画像（縮小画像）に関連付けられている原稿画像ファイルを、画像検索要求の応答としてその端末装置２へ送信する。その端末装置２では、ブラウザー６２がその原稿画像ファイルを受信し、記憶装置６４に記憶する。なお、画像検索では、キーとしてのサムネイル画像１０２（縮小画像）に一致または類似する縮小画像が発見される。このとき、上述の表示用サムネイル画像は、検索されない。なお、この画像検索では、既知の画像比較方法を使用して、キーとされた画像に一致または類似する画像が発見される。
【００４７】
次に、上記画像読取装置の動作について説明する。図６は、図１及び図２に示す画像読取装置１の動作について説明するフローチャートである。
【００４８】
ジョブ管理部４１がスキャンＵＲＬ送信ジョブの要求を受け付けると、ジョブ管理部４１は、画像取得部４２および通信処理部４３に、そのスキャンＵＲＬ送信ジョブを実行させる（ステップＳ１）。これにより、ここでは、原稿のページ画像を含む原稿画像ファイルが特定フォルダーに格納される（ステップＳ２）。
【００４９】
さらに、画像取得部４２は、原稿の所定ページのサムネイル画像を生成するか否かを上述のようにして判定し（ステップＳ３）、サムネイル画像を生成すると判定した場合、その所定ページのページ画像を所定の縮小率で縮小することで、サムネイル画像を生成し、画像検索用サムネイル画像として上述の原稿画像ファイルに関連付けて所定の記憶装置に記憶し（ステップＳ４）、そうではない場合、サムネイル画像を生成しない。
【００５０】
サムネイル画像が生成された場合、通信処理部４３は、上述の原稿画像ファイルのＵＲＬおよび生成されたサムネイル画像を含む電子メールを生成し、通信装置１４を使用して、指定された宛先（ユーザー）に送信する（ステップＳ５）。
【００５１】
一方、サムネイル画像が生成されなかった場合、通信処理部４３は、上述の原稿画像ファイルのＵＲＬを含むがサムネイル画像を含まない電子メールを生成し、通信装置１４を使用して、指定された宛先（ユーザー）に送信する（ステップＳ６）。
【００５２】
ユーザーは、端末装置２を操作して、図示せぬメールサーバーからその端末装置２へその電子メールをダウンロードする。その際、メーラー６１は、そのユーザー操作に従って、電子メールをダウンロードし、例えば図４に示すようなメッセージを表示装置６３に表示する。ユーザーは、その電子メール内のリンク１０１を押下して、原稿画像ファイルの送信要求を送信させたり、その電子メール内のリンク１０３を押下して、画像検索要求を送信させたりする。
【００５３】
上述の電子メールの送信後、サーバー部４４は、端末装置２から原稿画像ファイルの送信要求を受信したか否か（ステップＳ１１）、および端末装置２から画像検索要求を受信したか否か（ステップＳ１２）を監視する。
【００５４】
そして、サーバー部４４は、端末装置２から原稿画像ファイルの送信要求を受信すると、その送信要求におけるＵＲＬにより指定された場所に原稿画像ファイルが存在するか否かを判定し（ステップＳ１３）、その原稿画像ファイルが存在すれば、その原稿画像ファイルを読み出して、その端末装置２へ送信する（ステップＳ１４）。一方、その原稿画像ファイルが存在しなければ、サーバー部４４は、エラー通知をその端末装置２へ送信する（ステップＳ１５）。その端末装置２では、ブラウザー６２が、その原稿画像ファイルが送信されてきた場合には、その原稿画像ファイルを記憶装置６４に記憶し、エラー通知が送信されてきた場合には、そのエラー通知を表示装置６３に表示する。
【００５５】
ユーザーは、例えばエラー通知を受け付けると、原稿画像ファイルが移動したと判断して、画像検索を要求する。
【００５６】
そして、サーバー部４４は、端末装置２から画像検索要求を受信すると、その画像検索要求とともに受信したサムネイル画像をキーとして、検索用サムネイル画像に対する画像検索を実行し（ステップＳ１６）、その画像検索でヒットしたサムネイル画像に関連付けられている原稿画像ファイルを読み出して、端末装置２へ送信する（ステップＳ１７）。端末装置２では、ブラウザー６２が、その原稿画像ファイルを記憶装置６４に記憶する。
【００５７】
以上のように、上記実施の形態によれば、画像読取部１１は、１または複数ページの原稿から１または複数のページ画像を読み取りその１または複数のページ画像の画像データを生成する。画像取得部４２は、その画像データを取得し、その画像データを含む原稿画像ファイルを生成し特定フォルダーに保存する。通信処理部４３は、その原稿画像ファイルのネットワーク識別子を含むメッセージを特定の宛先に送信する。サーバー部４４は、そのネットワーク識別子を指定した送信要求を受信すると原稿画像ファイルを送信する。そして、通信処理部４３は、その１または複数のページ画像のうちの所定ページの縮小画像を、そのネットワーク識別子とともにメッセージに含め、サーバー部４４は、その縮小画像を指定した画像検索要求を受信すると、縮小画像をキーとして画像検索を実行する。
【００５８】
これにより、例えばスキャンＵＲＬ送信ジョブで送信したＵＲＬといった、画像読取で保存された原稿画像ファイルのネットワーク識別子がユーザーへの通知後に適切ではなくなった場合でも、ユーザーがその原稿画像ファイルのダウンロードが可能になる。
【００５９】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【産業上の利用可能性】
【００６０】
本発明は、例えば、画像読取装置に適用可能である。
【符号の説明】
【００６１】
１  画像読取装置
２  端末装置
１１  画像読取部
４２  画像取得部
４３  通信処理部
４４  サーバー部
６１  メーラー
６２  ブラウザー
【図１】
2020035188.tif 000003
【図２】
2020035188.tif 000004
【図３】
2020035188.tif 000005
【図４】
2020035188.tif 000006
【図５】
2020035188.tif 000007
【図６】
2020035188.tif 000008